(57)【要約】【課題】床暖房装置と掘りごたつとを連動して制御し、快適な暖かさを保ち、省エネルギー効果をも発揮することのできる暖房制御システムを提供する。【解決手段】床暖房区域１内に掘りごたつ２を配置してなる暖房装置において、掘りごたつ暖房を制御する掘りごたつコントローラＢと床暖房を制御する床暖房コントローラＡとを設け、上記掘りごたつコントローラＢと床暖房コントローラＡとを信号線６で接続するとともに、掘りごたつ回路４をオフとしたときは床暖房回路をオンにして通常暖房で床暖房し、掘りごたつ回路４をオンとしたときは床暖房回路を弱暖房にして床暖房するように制御する暖房制御システム。【選択図】図２
2007248019.tif 000002
【特許請求の範囲】
【請求項１】
床暖房区域内に掘りごたつを配置してなる暖房装置において、掘りごたつ暖房を制御する掘りごたつコントローラと床暖房を制御する床暖房コントローラとを設け、上記掘りごたつコントローラと床暖房コントローラとを信号線で接続するとともに、掘りごたつ回路をオフとしたときは床暖房回路をオンにして通常暖房で床暖房し、掘りごたつ回路をオンとしたときは床暖房回路を弱暖房にして床暖房するように制御する暖房制御システム。
【請求項２】
上記床暖房区域を掘りごたつに隣接する隣接暖房ブロックと該隣接暖房ブロック以外の通常暖房ブロックとに区分し、掘りごたつ回路をオンとしたときは上記隣接暖房ブロックが弱暖房で床暖房する請求項１に記載の暖房制御システム。
【請求項３】
上記床暖房コントローラに掘りごたつの運転状態を表示する表示灯を設けた請求項１に記載の暖房制御システム。
【発明の詳細な説明】
【技術分野】
【０００１】
本発明は、暖房システムに関する。さらに詳しくは、室内で床暖房装置と電熱式掘りごたつとを併用するとき、両者を連動して制御し、快適に暖房できる暖房制御システムに関する。
【背景技術】
【０００２】
近年、床暖房装置が一般家庭に普及しつつあり、また、従来から慣用されている電熱式掘りごたつ（以下単に掘りごたつという）を床暖房区域内に配置して併用するケースが増えている。このとき、上記床暖房装置と掘りごたつとは独立して別個に制御されるため、例えば両者の電源がオンの状態では快適な暖かさを通り越して暑く感じる場合があり、快適性のみならず、省エネルギーの観点からも問題がある。また、両者が共にオフのときは暖房が利かなくなるという問題もある。
【０００３】
一方、下記特許文献１には、複数の暖房機の暖房運転を連動して行う「連動モード」と、各暖房機の暖房運転を独立して単独で行う「非連動モード」とを切替える機能を有し、使用者が使い勝手良く使用できる暖房システムが提案されている。しかしながら、下記特許文献１に記載の技術は、必ずしも床暖房区域内に掘りごたつを配置してなる暖房装置に適用し、上記した問題を解決できるものではない。
【特許文献１】特開２００４−１４４３５２号公報（第１〜５頁、第１図、第２図）
【発明の開示】
【発明が解決しようとする課題】
【０００４】
本発明は、上記した問題を解決し、床暖房装置と掘りごたつとを連動して制御し、快適な暖かさを保つことができるとともに、使用電力を削減し、省エネルギー効果をも発揮することのできる暖房制御システムを提供することを、その課題とする。
【課題を解決するための手段】
【０００５】
上記課題を解決するために、本発明においては、つぎのような技術的手段を講じている。すなわち、請求項１に記載の発明によれば、床暖房区域内に掘りごたつを配置してなる暖房装置において、掘りごたつ暖房を制御する掘りごたつコントローラと床暖房を制御する床暖房コントローラとを設け、上記掘りごたつコントローラと床暖房コントローラとを信号線で接続するとともに、掘りごたつ回路をオフとしたときは床暖房回路をオンにして通常暖房で床暖房し、掘りごたつ回路をオンとしたときは床暖房回路を弱暖房で床暖房するように制御する暖房制御システムが提供される。このとき、弱暖房としては、床暖房をオフとする態様も含まれる。
【０００６】
請求項２に記載の暖房制御システムは、請求項１に記載の発明に加えて、上記床暖房区域を掘りごたつに隣接する隣接暖房ブロックと該隣接暖房ブロック以外の通常暖房ブロックとに区分し、掘りごたつ回路をオンとしたときは上記隣接暖房ブロックが弱暖房で床暖房されることが好ましい。このとき、弱暖房としては、上記と同様に床暖房をオフとする態様も含まれる。
【０００７】
請求項３に記載の暖房制御システムは、請求項１に記載の発明に加えて、上記床暖房コントローラに掘りごたつの運転状態を表示する表示灯が設けられる。該表示灯は、ＬＥＤ、液晶等、公知の手段により表示される。
【発明の効果】
【０００８】
請求項１に記載の発明にかかる暖房制御システムは上記のとおりであり、一般家庭に普及しつつある床暖房装置と従来から慣用されている掘りごたつとを併用する暖房装置において、床暖房装置と掘りごたつとが同時にオンまたはオフとなることなく、掘りごたつ暖房を制御する掘りごたつコントローラと、床暖房を制御する床暖房コントローラとを信号線で接続し、掘りごたつ回路をオフとしたときは床暖房回路はオンで通常暖房で床暖房し、掘りごたつ回路をオンとしたときは床暖房回路は弱暖房とされるため、暖房過剰となることなく、快適な暖かさを保つことができる。また、床暖房装置と掘りごたつとが同時にオフとなることがないため、暖房が利かなくなるという問題をなくすことができる。さらに、無駄な電力を消費することなく、省エネルギー効果を図ることができる。
【０００９】
請求項２に記載の暖房制御システムは上記のとおりであり、請求項１の暖房制御システムの有する効果に加え、上記床暖房区域を掘りごたつに隣接する隣接暖房ブロックと該隣接暖房ブロック以外の通常暖房ブロックとに区分し、掘りごたつ回路をオンとしたときは上記隣接暖房ブロックを弱暖房とすることにより、床暖房区域全体を温度制御することなく、掘りごたつに隣接する区域のみを温度制御するため、室内の暖房温度を極端に変化させずに快適に暖房することができる。
【００１０】
請求項３に記載の暖房制御システムは上記のとおりであり、請求項１の暖房制御システムの有する効果に加え、上記床暖房コントローラに掘りごたつの運転状態を表示する表示灯が設けられているため、堀ごたつの運転状態を床暖房の運転状態と共に、容易に視認することができる。
【発明を実施するための最良の形態】
【００１１】
以下、本発明の実施形態について図面を参照して詳細に説明する。図１は、床暖房区域１を、掘りごたつ２に隣接する隣接暖房ブロック１１と該隣接暖房ブロック１１以外の通常暖房ブロック１２とに区分した本発明の一実施形態にかかる暖房装置の概略構成を示す説明図である。上記掘りごたつ２は図外電熱部２１を備え、また隣接暖房ブロック１１は図外電熱部１１１を、通常暖房ブロック１２は図外電熱部１２１を備えている。
【００１２】
図２は、図１に示す暖房装置を制御する制御システムの構成を示すシステム図である。図２において、床暖房区域１を制御する床暖房コントローラＡは、隣接暖房回路３１を介して上記隣接暖房ブロック１１の電熱部１１１を制御するとともに、通常暖房回路３２を介して上記通常暖房ブロック１２の電熱部１２１を制御し、また、掘りごたつコントローラＢは掘りごたつ回路４を介して掘りごたつ２の電熱部２１を制御する。
【００１３】
図２に示されているように、上記床暖房コントローラＡと掘りごたつコントローラＢとは有線または無線の信号線６で接続され、各コントローラＡ、Ｂは図外の一般家庭用の電源線に接続され、上記電熱部１１１、１２１、２１を制御するとともに、各電熱部１１１、１２１、２１に電力を供給する。上記床暖房コントローラＡには信号線６を経て掘りごたつコントローラＢから掘りごたつ回路４の運転状態データが送信され、床暖房コントローラＡは上記運転状態データにしたがって隣接暖房回路３１と通常暖房回路３２とを制御する。
【００１４】
図３は、掘りごたつ回路４がオフの場合の上記暖房装置の制御システムを示すシステム図である。図３において、床暖房コントローラＡは掘りごたつ回路４がオフのデータを受信して隣接暖房回路３１と通常暖房回路３２とに、定格電力による通常運転を指令する。このようにすることにより、掘りごたつ２と隣接暖房ブロック１１と通常暖房ブロック１２とが同時に暖房されることはなく、過剰な暖房を防ぎ、無駄な電力の消費をなくすことができる。
【００１５】
図４は、掘りごたつ回路４がオンで掘りごたつ２の電熱部２１に通電されている状態の上記暖房装置の制御システムを示すシステム図である。図４において、床暖房コントローラＡは掘りごたつ回路４がオンのデータを受信して掘りごたつ運転表示灯５を点灯するとともに、隣接暖房回路３１に弱暖房運転ないしは電源オフを指令する。このとき、通常暖房回路３２は定格電力で通常運転を行う。
【００１６】
掘りごたつ回路４をオンとしたとき、掘りごたつ２の温度が立ち上がってから、弱暖房運転または電源オフとなるようにタイマを介して隣接暖房回路３１を制御してもよい。さらに、部屋の温度をモニタして、室温に合わせて隣接暖房回路３１の弱暖房の度合いを調節してもよい。このように、本発明は種々設計変更可能であり、特許請求の範囲を逸脱しない限りいずれも本発明の技術的範囲に含まれる。
【図面の簡単な説明】
【００１７】
【図１】本発明にかかる暖房装置の一実施形態の概略構成を示す説明図である。
【図２】上記実施形態にかかる暖房装置の制御システムの構成を示すシステム図である。
【図３】上記実施形態にかかる暖房装置の制御システムにおいて掘りごたつ回路がオフの状態を示すシステム図である。
【図４】上記実施形態にかかる暖房装置の制御システムにおいて掘りごたつ回路がオンの状態を示すシステム図である。
【符号の説明】
【００１８】
Ａ          床暖房コントローラ
Ｂ          掘りごたつコントローラ
１          床暖房区域
１１        隣接暖房ブロック
１１１      電熱部
１２        通常暖房ブロック
１２１      電熱部
２          掘りごたつ
２１        電熱部
３１        隣接暖房回路
３２        通常暖房回路
４          掘りごたつ回路
５          掘りごたつ運転表示灯
６          通信線
【図１】
2007248019.tif 000003
【図２】
2007248019.tif 000004
【図３】
2007248019.tif 000005
【図４】
2007248019.tif 000006